【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
外科用ステープル留めデバイスであって：
接近ノブおよび発射トリガーを含むハンドルアセンブリ；
該ハンドルアセンブリから遠位方向に延びる細長い本体部分；
アンビルアセンブリおよびシェルアセンブリを含むヘッド部分であって、該シェルアセンブリが複数のステープルを収容し、そして該アンビルアセンブリがアンビルヘッドおよびアンビル中央ロッドを含み、該アンビルヘッドが該アンビル中央ロッドに回動軸の周りで回動可能に固定され、そして作動位置と傾斜位置との間で移動可能であるヘッド部分；
該アンビルアセンブリを支持するためのアンビル保持具アセンブリであって、該アンビルヘッドが作動位置に移動されるか、または保持される第１の位置から、該アンビルヘッドが該作動位置から該傾斜位置に回動し得る第２の位置に移動可能であるロック部材を含むアンビル保持具アセンブリを備える、外科用ステープル留めデバイス。
【請求項２】
前記アンビルヘッドが、付勢部材によって前記傾斜位置に向かって押される、請求項１に記載の外科用ステープル留めデバイス。
【請求項３】
前記付勢部材がコイルスプリングである、請求項２に記載の外科用ステープル留めデバイス。
【請求項４】
前記アンビル保持具アセンブリが、開口遠位端を有する長軸方向ボアを規定する本体部分およびトロカールを含み、該トロカールが、該本体部分の開口遠位端から延び、そしてロック部材を形成し、該トロカールが、進行位置と退却位置と間で長軸方向ボアに沿って移動可能であり、該進行位置が該ロック部材の第１の位置を規定し、そして該退却位置が該ロック部材の第２の位置を規定する、請求項１〜３のいずれかに記載の外科用ステープル留めデバイス。
【請求項５】
前記トロカールが、トロカール付勢部材によって退却位置に押される、請求項４に記載の外科用ステープル留めデバイス。
【請求項６】
前記トロカールを前記退却位置に押すためのトロカール付勢部材が、コイルスプリングである、請求項５に記載の外科用ステープル留めデバイス。
【請求項７】
前記トロカールの近位端が、環状フランジを含み、そして肩部を規定する長軸方向ボアが肩部を規定し、前記トロカール付勢部材が、該トロカールの環状フランジと該長軸方向ボア内に規定される肩部との間の該トロカールの周りで該長軸方向ボア内に位置決めされ、該トロカールを該退却位置に押す、請求項５および６のいずれかに記載の外科用ステープル留めデバイス。
【請求項８】
前記トロカールが、トロカールチップを含む、請求項４〜７のいずれかに記載の外科用ステープル留めデバイス。
【請求項９】
前記トロカールチップが、実質的に平滑末端である、請求項８に記載の外科用ステープル留めデバイス。
【請求項１０】
前記身体部分上に支持されたカム部材をさらに含み、該カム部材が、前記トロカールを前記進行位置に保持するための第１の位置から、該トロカールを前記退却位置まで移動することを可能にするための第２の位置まで移動可能である、請求項５〜９のいずれかに記載の外科用ステープル留めデバイス。
【請求項１１】
前記カム部材が、前記身体部分に回動可能に固定される、請求項１０に記載の外科用ステープル留めデバイス。
【請求項１２】
前記カム部材が、前記身体部分中に形成された長軸方向スロット内に回動可能に支持される、請求項１０および１１のいずれかに記載の外科用ステープル留めデバイス。
【請求項１３】
前記カム部材が、遠位フィンガーおよび近位方向に位置した凹部を含み、該遠位フィンガーが、該カム部材が、前記トロカール付勢部材の押しに対して前記進行位置に前記トロカールを保持するために第１の位置にあるとき、該トロカールの近位端上に支持されたピンを係合するよう位置決めされる、請求項１０〜１２のいずれかに記載の外科用ステープル留めデバイス。
【請求項１４】
前記カム部材の遠位フィンガーが、角度をなす面を、前記ピンと該角度をなす面との間の係合が該カム部材をその第２の位置に押すように含む、請求項１３に記載の外科用ステープル留めデバイス。
【請求項１５】
前記ハンドルアセンブリの発射トリガーと作動可能に関連するプッシャーをさらに備え、該発射トリガーが、該プッシャーを前記細長い本体部分内で、退却位置から進行位置まで進行するように作動可能であり、前記複数のステープルを前記シェルアセンブリから発射する、請求項１〜１４のいずれかに記載の外科用ステープル留めデバイス。
【請求項１６】
前記プッシャーが少なくとも１つのアームを含み、該アームが、前記カム部材のその第１の位置からその第２の位置への移動を、前記発射リトガーが作動されて該プッシャーをその進行位置まで移動する後まで防ぐ、請求項１５に記載の外科用ステープル留めデバイス。
【請求項１７】
前記アンビルアセンブリが、前記アンビル中央ロッドによって移動可能に支持された第１のスライド部材および第２のスライド部材を含み、該第１のスライド部材が第１の駆動リンクによって前記回動軸の一方の側で前記アンビルヘッドに回動可能に連結され、そして該第２のスライド部材が第２の駆動リンクによって該回動軸の他方の側で該アンビルヘッドに連結され、該第１のスライド部材が該第２のスライド部材に対して移動可能であり、前記作動位置と前記傾斜位置との間で該アンビルヘッドの移動を行う、請求項１〜１６のいずれかに記載の外科用ステープル留めデバイス。
【請求項１８】
前記第１のスライド部材と第２のスライド部材とを互いに対して押し、前記アンビルヘッドを前記傾斜位置に位置決めする、請求項１７に記載の外科用ステープル留めデバイス。
【請求項１９】
前記第１のスライド部材および第２のスライド部材を付勢する部材が、該第１のスライド部材および第２のスライド部材との間に位置決めされ、該第１のスライド部材および第２のスライド部材を押して離す、請求項１８に記載の外科用ステープル留めデバイス。
【請求項２０】
前記アンビル保持具の本体部分が、実質的にコークの瓶形態を有する部分を含む、請求項１〜１９のいずれかに記載の外科用ステープル留めデバイス。
【請求項２１】
前記接近ノブが、駆動ネジに作動可能に連結され、そして該駆動ネジが前記アンビル保持具アセンブリに作動可能に連結され、ここで、該接近ノブが、約２回転から約２回転半まで回転可能であり、前記アンビルアセンブリをその接近位置から、前記シェルアセンブリから前記アンビルヘッドがその傾斜位置に移動するに十分な距離離れた位置に移動する、請求項１〜２０のいずかに記載の外科用ステープル留めデバイス。
【請求項２２】
傾斜可能なアンビルアセンブリであって：
中央ロッド；
ハウジング、ポスト、ステープル変形ポケットを有するアンビルプレート、およびバックアップ部材を含むヘッドアセンブリであって、該ヘッドアセンブリが、回動軸の周りで該中央ロッドに回動可能に固定され、そして作動位置と傾斜位置との間で該中央ロッドに対して回動し、ここで、該バックアップ部材が、該ポストの周りを、該バックアップ部材の一部が、該ヘッドアセンブリの該作動位置から該傾斜位置までの移動を防ぐよう位置決めされる第１の位置から、該バックアップ部材が位置決めされる第２の位置まで移動可能であり、該ヘッドアセンブリの該中央ロッドに対する該作動位置から該傾斜位置までの移動を許容する、ヘッドアセンブリを備え、そしてさらに、該ヘッドアセンブリ中に位置決めされた保持具部材を含み、該バックアップ部材の該第１の位置から該第２の位置への移動を、該バックアップ部材に所定の力が付与されるまで防ぐ、傾斜可能なアンビルアセンブリ。
【請求項２３】
前記保持具部材が、前記ハウジングと前記バックアップ部材との間の前記ヘッドアセンブリ中に位置決めされる変形可能な部材を含む、請求項２２に記載の傾斜可能なアンビルアセンブリ。
【請求項２４】
前記ハウジングおよび前記ポストが環状の凹部を規定し、前記保持具部材が、該環状の凹部中に位置決めされる、請求項２２および２３のいずれかに記載の傾斜可能なアンビルアセンブリ。
【請求項２５】
前記中央ロッドが長軸方向軸を規定し、そして前記回動軸が該中央ロッドの長軸方向軸から斜めに置かれる、請求項２２〜２４のいずれかに記載の傾斜可能なアンビルアセンブリ。
【請求項２６】
前記中央ロッドが長軸方向軸を規定し、そして前記回動軸が該中央ロッドの長軸方向軸と交差する、請求項２２〜２４のいずれかに記載の傾斜可能なアンビルアセンブリ。
【請求項２７】
前記バックアップ部材が、切断リングおよびバックアッププレートを含み、該切断リングが、該バックアッププレートの近位方向面に固定される、請求項２２〜２６のいずれかに記載の傾斜可能なアンビルアセンブリ。
【請求項２８】
前記バックアッププレートが、前記バックアップ部材がその第１の位置にあり前記ヘッドアセンブリの前記中央ロッドに対する回動移動を防ぐとき、該中央ロッドの遠位方向面を係合するよう位置決めされた少なくとも１つのフィンガーを含む、請求項２２〜２７のいずれかに記載の傾斜可能なアンビルアセンブリ。
【請求項２９】
前記切断リングが、前記バックアッププレートより柔軟な材料から形成される、請求項２７および２８のいずれかに記載の傾斜可能なアンビルアセンブリ。
【請求項３０】
前記切断リングがポリエチレンから形成され、そして前記バックアッププレートが金属から形成される、請求項２９に記載の傾斜可能なアンビルアセンブリ。
【請求項３１】
外科用ステープル留めデバイスであって：
接近ノブおよび発射トリガーを含むハンドルアセンブリ；
該ハンドルアセンブリから遠位方向に延びる細長い本体部分；
該細長い本体部分の遠位端上に支持されたヘッド部分であって、アンビルアセンブリおよびその中に支持された複数のステープルを有するシェルアセンブリを含み、該アンビルアセンブリが、該シェルアセンブリに対して、該接近ノブの作動に応答して間隔を置かれた位置と接近位置との間を移動可能であるヘッド部分；
該接近ノブを含む接近機構であって、該アンビルアセンブリに、該接近ノブの作動が該アンビルアセンブリの該シェルアセンブリに対する該間隔を置かれた位置と接近位置との間の移動を行うように作動可能に連結される接近機構；
該ハンドルアセンブリ上に位置決めされ、そしてロック位置から非ロック位置まで移動可能であるトリガーロックであって、ここで、そのロック位置において、該発射トリガーの作動を防ぐトリガーロック；および
該トリガーロック作動可能に連結され、そして該トリガーロックが第２の非ロック位置にあるとき、該アンビルアセンブリの該接近位置から該離れた位置への移動を防ぐよう位置決めされるロックアウト機構、を備える、外科用ステープル留めデバイス。
【請求項３２】
前記トリガーロックが、回動部材の周りで前記ハンドルアセンブリ上に回動可能に支持され、そして前記ロックアウト機構が、ボアを規定し、かつロッキングタブを有するロックアウトプレートを含み、該ボアが、該回動部材を、該ロックアウトプレートが、該回動部材の周りを、該ロックタブが該アンビルアセンブリの該シェルアセンブリに対する前記接近位置と非接近位置との間の移動を許容するよう位置決めされる第１の位置から、該アンビルアセンブリの該シェルアセンブリに対する該接近位置と該非接近位置との間の移動を防ぐ第２の位置まで回転可能であるように受容するような寸法である、請求項３１に記載の外科用ステープル留めデバイス。
【請求項３３】
前記接近機構が、前記接近ノブに作動可能に連結された近位端、および前記アンビルアセンブリに作動可能に連結された遠位端を有する直線的に進行可能な駆動ネジを含み、前記ロックアウトプレートのロックタブが、該ロックアウトプレートがその第２の位置にあるとき、該駆動ネジの直線的移動を妨害するように位置決めされる、請求項３２に記載の外科用ステープル留めデバイス。
【請求項３４】
前記駆動ネジ上に位置決めされたネジストップをさらに含み、該ネジストップが、前記ロックアウトプレートがその第２の位置にあるとき、該ロックアウトプレートのロックタブを係合するよう位置決めされる係合部材を含む、請求項３３に記載の外科用ステープル留めデバイス。
【請求項３５】
前記ロックアウトプレートが、前記トリガーロックに、該トリガーロックのそのロック位置からその非ロック位置までの移動が該ロックアウトプレートのその第１の位置からその第２の位置への移動を行うように離脱可能に接続される、請求項３１〜３４のいずれかに記載の外科用ステープル留めデバイス。
【請求項３６】
前記ロックアウト機構が、前記ロックアウトプレートを前記トリガーロックに向かって押すための付勢部材を含む、請求項３２〜３５のいずれかに記載の外科用ステープル留めデバイス。
【請求項３７】
前記ロックアウトプレートが凹面を含み、そして前記トリガーロックが一対の間隔を置いた突出部を含み、該突出部の各々が該凹面内に独立に受容可能であり、該ロックアウトプレートを該トリガーロックに対して２つの別個の位置の１つで離脱可能に接続する、請求項３２〜３６のいずれかに記載の外科用ステープル留めデバイス。
【請求項３８】
前記発射トリガーが離脱部材を含み、そして前記ロックアウトプレートが離脱タブを含み、該離脱部材が、前記発射トリガーの作動に際し、該放出タブを係合するよう位置決めされ、該ロックプレートを、前記外科用ステープル留めデバイスが発射されるとき、その第２の位置からその第１の位置に自動的に移動する、請求項３２〜３７のいずれかに記載の外科用ステープル留めデバイス。
【請求項３９】
外科用ステープル留めデバイスであって：
静止ハンドル部分、該静止ハンドル部分に回動可能に固定された発射トリガーおよび該静止ハンドル部分の近位端に回転可能に固定された接近ノブを含むハンドルアセンブリ；
該ハンドルアセンブリから遠位方向に延びる細長い本体部分；および
アンビルアセンブリおよびシェルアセンブリを含むヘッド部分であって、該シェルアセンブリが複数のステープルを収容し、該アンビルアセンブリが、該接近ノブの間隔を置いた位置と接近した位置との間の作動に応答して、該シェルアセンブリに対して移動可能であるヘッド部分；を備え、
ここで、該発射トリガーが、該静止ハンドルに向かって回動し、該複数のステープルを該シェルアセンブリから発射し、該発射トリガーが、該接近ノブの遠位端の近位方向に位置決めされる近位端を有する、外科用ステープル留めデバイス。